(57)【特許請求の範囲】
【請求項１】
被収容物を包装する本体と、
当該本体に設けられた取出し口を覆う蓋部材と、
前記蓋部材に接続された帯状部材と、
を備えるパッケージであって、
前記帯状部材は、少なくとも一部が前記本体の表面に露出し、前記本体に沿ってスライド操作自在であり、当該スライド操作に連動して前記蓋部材を開蓋又は閉蓋可能に設けられており、
前記本体の一部は、多重の包装により前記帯状部材を挟み込む多重構造部を有し、
前記多重構造部は、本体表面側の包装の一部に、開口した領域である開口部を有し、
前記帯状部材の一部は、前記開口部から前記本体の表面に露出し、スライド操作自在に設けられている
パッケージ。
【請求項２】
前記蓋部材の一端に、前記取出し口を開封する際に摘みとして利用可能な開封タブが連設された
請求項１に記載のパッケージ。
【請求項３】
前記本体の一部であって、閉蓋状態において前記開封タブを挿抜可能な位置に、前記開封タブを挿入可能な差込口を有する
請求項２に記載のパッケージ。
【請求項４】
前記開封タブ、及び、前記本体の一部であって閉蓋状態において前記開封タブと接する部分に、それぞれ帯磁した領域を有する
請求項２又は３に記載のパッケージ。
【請求項５】
前記本体は、前記帯状部材がスライドする方向を制限する方向規制部をさらに有する
請求項１から４のいずれか一項に記載のパッケージ。
【請求項６】
前記本体は、ガスバリア性を有する材料からなり、
パッケージ未開封時に前記被収容物が前記本体により密封されている
請求項１から５のいずれか一項に記載のパッケージ。
【請求項７】
前記帯状部材のうち、前記開口部から前記本体の表面に露出する領域は、少なくともその裏面よりも摩擦係数が高い
請求項１から６のいずれか一項に記載のパッケージ。
【発明の詳細な説明】
【技術分野】
【０００１】
本発明は、パッケージに関する。
【背景技術】
【０００２】
従来、たばこ商品等の被収容物を収容するパッケージとして、ソフトパッケージやハードパッケージ等が知られている。一般的なソフトパッケージは、例えば、包紙、アルミコーティングした内包紙、封緘紙等を含み、これらをさらに外包フィルムで包装して形成される。このようなソフトパッケージは、開封後に開口部を閉じることはできない。【０００３】
また、本体の一部又は封緘紙に、接着及び剥離可能な粘着性部材を有し、開封後においても閉蓋可能としたソフトパッケージも提案されている（特許文献１及び２参照）。
【先行技術文献】
【特許文献】
【０００４】
【特許文献１】特許第３３６５４５４号公報
【特許文献２】特開平７−２０３９３８号公報
【発明の概要】
【発明が解決しようとする課題】
【０００５】
従来、蓋部材を設け、開閉可能にしたソフトパッケージは提案されている。しかしながら、開封後に片手で開蓋できるソフトパッケージは存在しなかった。【０００６】
本発明は、このような課題に鑑みてなされてものであって、片手で開蓋できるソフトパッケージを提供することを目的とする。
【課題を解決するための手段】
【０００７】
上記課題を解決するために、本発明に係るパッケージは、被収容物を包装する本体と、当該本体に設けられた取出し口を覆う蓋部材と、蓋部材に接続された帯状部材とを備える。そして、帯状部材は、少なくとも一部が本体の表面に露出し、本体に沿ってスライド操作自在であり、当該スライド操作に連動して蓋部材を開蓋又は閉蓋可能に設けられるようにした。【０００８】
このようにすれば、帯状部材をスライドさせることで蓋部材を開蓋または閉蓋させることができる。特に、本体表面に沿って部材をスライドさせるような操作であれば指一本でも可能である。例えば、使用者は、パッケージを片手で握り、帯状部材を親指で本体に押し当てつつスライドさせることができる。したがって、本発明に係るパッケージであれば、使用者は片手で開蓋できる。【０００９】
また、本体の一部は、多重の包装により帯状部材を挟み込む多重構造部を有し、多重構造部は、本体表面側の包装の一部に、開口した領域である開口部を有し、帯状部材の一部は、開口部から本体の表面に露出し、スライド操作自在に設けられているようにしてもよい。このようにすれば、帯状部材は、多重構造部にコンパクトに収納することができ、且つ、使用者は、開口部から露出した帯状部材を操作することができる。【００１０】
さらに、蓋部材の一端に、取出し口を開封する際に摘みとして利用可能な開封タブが連設されるようにしてもよい。このようにすれば、使用者は開封タブを摘まみ、所定の方向に引くことで、容易に取出し口を開封することができる。【００１１】
また、本体の一部であって、閉蓋状態において開封タブを挿抜可能な位置に、開封タブを挿入可能な差込口を有するようにしてもよい。差込口は、閉蓋状態において開封タブを挿抜可能な位置に存在するため、開封タブを差込口に挿入することで、開封タブに連設された蓋部材が閉じた状態で固定することができる。蓋部材を閉じた状態で固定すれば、被収容物がこぼれ出ることを抑制できる。【００１２】
また、開封タブ、及び、本体の一部であって閉蓋状態において開封タブと接する部分に、それぞれ帯磁した領域を有するようにしてもよい。帯磁した領域は、閉蓋状態において開封タブと接する部分に存在するため、帯磁した領域が吸着し、蓋部材を閉蓋させたり、開封タブに連設された蓋部材が閉じた状態で固定することができる。帯磁した領域を吸着させれば、使用者は閉蓋操作も片手で行うことができるようになる。また、蓋部材を閉じた状態で固定すれば、被収容物がこぼれ出ることを抑制できる。【００１３】
さらに、本体は、帯状部材がスライドする方向を制限する方向規制部をさらに有するようにしてもよい。このようにすれば、帯状部材がスライドする方向を制限できる。例えば、蓋部材を開蓋又は閉蓋させることができる方向にスライドするよう制限すれば、よりスライド操作が行い易くなる。【００１４】
また、本体は、ガスバリア性を有する材料からなり、パッケージ未開封時に被収容物が本体により密封されているようにしてもよい。このようにすれば、被収容物の芳香が散逸したり、被収容物に外部の香りが移ることが抑制される。よって、パッケージの外側をフィルム等でさらに包装することなく、被収容物の鮮度を保つことができる。【００１５】
また、帯状部材のうち、開口部から本体の表面に露出する領域は、少なくともその裏面よりも摩擦係数が高くなるようにしてもよい。このようにすれば、使用者は、より容易にスライド操作可能になる。【００１６】
なお、本発明に係るパッケージに収容する被収容物は特に限定されるものではないが、例えば、たばこ商品を被収容物として好適に例示できる。たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。また、本発明に係るソフトパッケージは、例えば菓子、ガム等を収容するパッケージであってもよい。【００１７】
また、本発明における課題を解決するための手段は、可能な限り組み合わせて採用することができる。
【発明の効果】
【００１８】
本発明によれば、片手で開蓋できるソフトパッケージを提供することができる。
【図面の簡単な説明】
【００１９】
【図１】実施形態に係るパッケージの閉蓋状態の一例を示す斜視図である。
【図２】実施形態に係るパッケージの開蓋状態の一例を示す斜視図である。
【図３】実施形態に係るパッケージの分解斜視図である。
【図４】実施形態に係るパッケージの展開図の一例を示す図である。
【図５】実施形態に係るパッケージの展開図の一例を示す図である。
【図６】実施形態に係るパッケージの帯状部材の一例を示す斜視図である。
【図７】実施形態に係るパッケージの開封操作を説明するための斜視図である。
【図８】実施形態に係るパッケージの開封操作を説明するための斜視図である。
【図９】実施形態に係るパッケージの開蓋操作を説明するための斜視図である。
【図１０】実施形態に係るパッケージの閉蓋操作を説明するための斜視図である。
【図１１】変形例に係るパッケージの閉蓋状態の一例を示す斜視図である。
【図１２】変形例に係るパッケージの開蓋状態の一例を示す斜視図である。
【図１３】変形例に係るパッケージの分解斜視図である。
【図１４】変形例に係るパッケージの帯状部材の一例を示す斜視図である。
【図１５】変形例に係るパッケージの一例を背面から見た斜視図である。
【図１６】変形例に係るパッケージの開閉操作を説明するためのである。
【図１７】変形例に係るパッケージの開閉操作を説明するためのである。
【図１８】変形例に係るパッケージの開閉操作を説明するためのである。
【発明を実施するための形態】
【００２０】
次に、本発明に係るソフトパッケージの実施形態について、図面に基づいて説明する。本発明が適用されるパッケージに収容する被収容物は特定のものに限定されないが、ここでは、シガレットをパッケージに収容する場合を例に説明する。
【００２１】
＜ソフトパッケージの構成＞
図１及び図２は、それぞれ、実施の形態に係るソフトパッケージ（単に「パッケージ」とも呼ぶ）１の斜視図である。パッケージ１は、被収容物２を包み込んでいる。また、図１は、蓋部材１５により取出し口１４を閉じた閉蓋状態を表しており、図２は、蓋部材１５を開けて取出し口１４を開口させた開蓋状態を表している。
【００２２】
なお、図面内に示した通り、図１及び図２においては、便宜上、図面の上下方向を空間における鉛直上下方向とし、同様に左下方向を前（手前）方向、右上方向を後（奥）方向、左上方向を左方向、右下方向を右方向とする。すなわち、図１及び図２においては、パッケージ１の正面、上面及び右側面が見えている。また、パッケージ１の上面に取出し口１４が設けられており、正面に開口部１６が設けられている。以降、斜視図については基本的に同様とし、異なる方向から見た斜視図については、改めて図面内に方向を示す。
【００２３】
本実施の形態に係るパッケージ１は、紙の少なくとも一方の面にフィルムを貼り合わせ、ヒートシール可能としたフィルム貼合せ包紙（単に「包紙」とも呼ぶ）により、好適に形成することができる。気体を透過しにくい（すなわち、「ガスバリア性」のある）包紙を用いて、ヒートシールにより封止すれば、被収容物２の鮮度を保持する性能が向上する。すなわち、被収容物２の芳香がパッケージ１の外部に散逸することや、外部の芳香が被収容物２に移ることを抑制できる。さらに、包紙に耐水性又は撥水性を持たせることで、被収容物２を湿気から保護するようにしてもよい。なお、パッケージ１は、紙、フィルム等を素材として形成するようにしてもよい。また、図１及び図２において、パッケージ１は、包紙を折り込み、貼り合せることで、ほぼ直方体形状に形成されているが、パッケージ１の外形はこのような形状に限られない。
【００２４】
本実施の形態に係るパッケージ１は、本体１１と、本体１１に接続された帯状部材１２とを備えている。本体１１は、折返し部１３と、取出し口１４と、蓋部材１５と、開口部１６とを有する。また、帯状部材１２は、折返し部１７と、開封タブ１８とを有する。
【００２５】
本体１１は、正面、側面及び背面の一部に、包紙が二重に巻かれた二重構造部分を有する。本体１１の二重構造部分を展開した斜視図を、図３に示す。本体１１は、内側部分１１１と、内側部分１１１の一部を覆う表面側部分１１２とを備えている。内側部分１１１は、被収容物２を内包し、上面及び底面にマチを設けて両側面を合掌貼りした、ほぼ直方体形状の部分である。表面側部分１１２は、本体１１の正面、側面及び背面の一部を覆っている。表面側部分１１２の一端は、内側部分１１１の側面と連設されている。また、表面側部分１１２の他端側には、縁に沿って鉛直方向に延在し、例えば糊付けされて内側部分１１１に接着される接着部１１３を有する。本実施の形態では、本体１１の正面の領域や、背面のうち本体１１の取出し口１４周辺の領域等は、内側部分１１１と表面側部分１１２とが接着されていない。そして、帯状部材１２の一部は、本体１１正面の、内側部分１１１と表面側部分１１２との間の接着されていない間隙に挟まれている。
【００２６】
また、本体１１の正面には、表面側部分１１２が矩形に切り取られることにより、開口部１６が設けられている。本実施の形態では、開口部１６は、パッケージ１の内側部分１１１と表面側部分１１２との間に挟まれた帯状部材１２の一部が、パッケージ１の表面に露出するように設けられている。帯状部材１２がパッケージ１の表面に露出しているため、使用者は、パッケージ１の外側から帯状部材１２を操作できる。なお、帯状部材１２の一部をパッケージ１の表面に露出させることができれば、開口部１６の形状及び数は特に限定されない。例えば開口部１６の形状は、長方形、円形、楕円形、星形、その他の図形や動植物をかたどったもの等でもよく、２つ以上が配置されていてもよい。
【００２７】
また、内側部分１１１の正面には、鉛直方向中央付近に沿って、包紙の縁を合掌貼りにして鉛直下向きに折り返した折返し部１３が設けられている。折返し部１３は、表面側部分１１２で覆われ、パッケージ１の表面には現れない。また、本体１１の折返し部１３と、帯状部材１２の折返し部１７とは係合し、帯状部材１２は、所定の位置よりも先にスライドしないようになっている。本実施の形態では、本体１１の折返し部１３が本体１１の鉛直方向中央付近に設けられており、折返し部１３は、帯状部材１２が内側部分１１１と表面側部分１１２との間から抜け出さないように帯状部材１２のスライドを制限する停止部として働く。
【００２８】
また、本体１１は、上面の一部に、被収容物を取り出すための取出し口１４を有している。本実施の形態では、取出し口１４は、いわゆる「ホームベース」のような形状になっている。なお、取出し口１４の形状は、長方形、円形、楕円形、星形、その他の図形や動植物をかたどったもの等であってもよい。本実施の形態では、ホームベースの外形のうち２つの直角に挟まれた１辺が本体１１の正面側に配置されるように、本体１１上面の端にホームベース形状の取出し口１４が設けられている。取出し口１４は、開封前においては、包紙に所定形状のハーフカット加工が施された状態であり、例えば密封されている。本実施の形態では、開封時に、取出し口１４の本体１１正面側の１辺は包紙が切り取られず、開封後は、１辺が本体１１と連設されたホームベース形状の蓋部材１５となる。
【００２９】
なお、ハーフカット加工とは、紙又はフィルム等に、裏面まで貫通しない切れ目（スリット）を入れる加工である。ここで、フィルム貼り合せ包紙に施すハーフカット加工は、紙層又は少なくとも1つのフィルム層を残すように施されることが好ましい。フィルム貼り合せ包紙において、ガスバリア性を担保しているのはフィルム層であるため、フィルム層に切れ目を入れずに残すことで、ハーフカット加工を施した場合でも、未開封時のパッケージ全体としてのガスバリア性を担保でき、被収容物をより効果的に保護することができる。そして、使用者は、ハーフカットされた形状に沿ってパッケージ１を開封することができる。また、開封後においては、使用者は、蓋部材１５を開き、取出し口１４から被収容物２を取り出すことができる。
【００３０】
蓋部材１５は、本体１１を形成する包紙の一部であり、開封後も取出し口１４を覆うことができる。また、開封後は、蓋部材１５は、本体１１正面側の１辺で本体１１と連設されており、当該１辺を支点として回動自在に設けられている。なお、本体１１と連設された蓋部材１５周縁の１辺を、便宜上、「ヒンジ１５１」とも呼ぶ。開封後においては、蓋部材１５はヒンジ１５１を支点に回動し、開閉する。
【００３１】
また、パッケージ１は、蓋部材１５と接続された帯状部材１２を有する。帯状部材１２は、長方形の部材である。長方形の直交する２辺の長さの比率は特に限定されないが、後述するスライド操作を行うためには帯状又はベルト形状が好適である。本実施の形態では、帯状部材１２は、蓋部材１５上に接続され、本体１１の内側部分１１１に沿って本体１１の正面側に下がっている。
【００３２】
図３に示す帯状部材１２は、「Ｄ」が付された領域（「領域Ｄ」とも呼ぶ）の上端で折り返され、領域Ｄの裏面は、重ね合わされた面と、ヒートシール又は接着剤等により接着されている。接着された部分を、開封タブ１８と呼ぶ。開封タブ１８の詳細については後述する。また、蓋部材１５のうち、ヒンジ１５１と対向する側（ヒンジ１５１から離れている側）の領域（図３の斜線領域）に、帯状部材１２が接着されている。本実施の形態では、ホームベース形状の蓋部材１５のうち、２つの直角に挟まれた１辺とは反対側に存在する三角形の領域と、帯状部材１２の「Ｃ」が付された領域（「領域Ｃ」とも呼ぶ）の裏側に折り返された部分とが、接着されている。なお、図３において、接着される領域には斜線によるハッチングを施している。
【００３３】
帯状部材１２の領域Ｃの裏面に折り返された部分と接着されるのは、蓋部材１５全体ではなく、図３に示すように、ヒンジ１５１から離れている側の一部であることが好ましい。このようにすれば、使用者が帯状部材１２を下方にスライドさせた場合、蓋部材１５はヒンジ１５１から離れている側から捲れ、使用者が帯状部材１２をさらに下方にスライドさせたとき、蓋部材１５がよりスムーズに内側部分１１１と表面部分１１２との間に収容される。
【００３４】
また、帯状部材１２のうち「Ａ」が付された領域（「領域Ａ」とも呼ぶ）側の端は、パッケージ１の内側方向に折り返した折返し部１７を形成しており、本体１１の折返し部１３と係合する。上でも述べたように、本体１１の折返し部１３と帯状部材１２の折返し部１７とが係合することにより、帯状部材１２が本体１１の内側部分１１１と表面側部分１１２との間から抜け出すことを抑止できる。
【００３５】
帯状部材１２は、本体１１の内側部分１１１と表面側部分１１２との間に挟まれ、帯状部材１２の一部は開口部１６からパッケージ１の表面に露出する。本実施の形態では、使用者は、開口部１６から露出した帯状部材１２を、本体１１の表面に沿って指等でスライドさせることができる。また、帯状部材１２がスライドする過程において、帯状部材１２の領域Ａ〜領域Ｃが開口部１６からパッケージ１の表面に露出する。使用者がスライド操作する領域Ａ〜領域Ｃを、便宜上、操作部１２１と呼ぶ。
【００３６】
なお、帯状部材１２には、何らかの絵や図案、グラデーションのように変化する色彩等が付されていてもよい。上で述べたように、図１の閉蓋状態から図２の開蓋状態まで、帯状部材１２がスライドする過程において、本体１１の開口部１６から帯状部材１２の領域Ａ〜領域Ｃが順にパッケージ１の表面に露出する。例えば、領域Ａ〜領域Ｃのそれぞれに異なる絵を付しておき、順に各絵が開口部１６から見えるようにしてもよいし、領域Ａ〜領域Ｃ全体で１つの絵を付しておき、順に絵の一部が開口部１６から見えるようにしてもよい。
【００３７】
また、本実施の形態では、蓋部材１５のヒンジ１５１と対向する側に開封タブ１８が形成されている。開封タブ１８は、二重構造になっているパッケージ１の内側部分１１１と表面側部分１１２との間に挿抜可能になっている。開封タブ１８を間隙に挿入することで、蓋部材１５開蓋を抑止することが可能になる。なお、閉蓋状態において開封タブ１８を挿入することができる、内側部分１１１と表面側部分１１２との間隙を、便宜上、差込口１１４とも呼ぶ。
【００３８】
図３において領域Ｄの上端に連なっている、折り返された領域により、領域Ｄ及び領域Ｃを補強することができる。領域Ｄの裏面は、折り返される領域と接着されることで補強され、差込口１１４への閉封タブ１８の挿入がより容易となる。ただし、図３に示した、領域Ｄの上端に連設された折り返される領域は、設けなくてもよい。折り返される領域を設けない場合であっても、閉封タブ１８の素材が、例えば折り返して接着した場合と同程度等のように、所定以上の剛性を有していれば、差込口１１４への閉封タブ１８の挿入は容易となる。折り返される領域を設けない場合、蓋部材１５は、領域Ｃの裏面に接着される。
【００３９】
＜製造方法＞
本実施の形態に係るパッケージ１について、本体１１を形成する本体展開図Ｄ１と、帯状部材１２を形成する帯状展開図Ｄ２とを用いて製造することができる。図４に、本体展開図Ｄ１を示し、図５に、帯状展開図Ｄ２を示す。破線で示される折込み線に沿って山折りに折り、一点鎖線で示される折込み線に沿って谷折りに折り、所定の箇所をヒートシール又は糊付け等により接着することで、展開図からパッケージ１が形成される。なお、展開図の形状に打ち抜いた包紙を、ブランクとも呼ぶ。また、図４及び図５に方向を示した通り、便宜上、図面の上下左右方向に基づいて展開図に含まれる領域の接続関係を説明する。
【００４０】
本体展開図Ｄ１はＴ字形状であり、本体１１の背面となる背面領域１００１の三方に、本体１１の上面、底面又は側面となる領域を介して、本体１１の正面に位置し、内側部分１１１となる正面領域１００２及び１００３、並びに本体１１の表面を二重に覆う表面側領域１００４〜１００６が連なっている。なお、各領域は、それぞれほぼ長方形である。
【００４１】
より詳細には、背面領域１００１の四方（図４における上下左右の縁）には、本体１１の上面となる上面領域１００７と、本体１１の底面となる底面領域１００８と、本体１１の右側面となる右側面領域１００９と、本体１１の左側面となる左側面領域１０１０とが連なっている。背面領域１００１の周囲は、例えばすべて山折りに折られる。また、上面領域１００７及び底面領域１００８には、それぞれ背面領域１００１の反対側に正面領域１００２及び１００３が連なっている。１００２及び１００３は、縁をヒートシールで接着され、本体１１の正面となる。なお、上面領域１００７には、使用者が取出し口１４を開封し易いように、ハーフカット加工が施されている。図４において上面領域１００７に存在する太い実線は、ハーフカットされる箇所を示している。本実施の形態では、ホームベース形状のうち２つの直角に挟まれた１辺以外が、ハーフカットされている。上面領域１００７と正面領域１００２との境界線、及び底面領域１００８と１００３との境界線も、例えば山折りに折られる。また、正面領域１００２の側縁には、本体１１の右側面となる右側面領域１０１１及び左側面となる左側面領域１０１２が連なっている。同様に、正面領域１００３の側縁には、本体１１の右側面となる右側面領域１０１３及び左側面となる左側面領域１０１４が連なっている。正面領域１００２と、右側面領域１０１１及び左側面領域１０１２との境界線、並びに正面領域１００３と右側面領域１０１３及び左側面領域１０１４との境界線も、例えば山折りに折られる。また、右側面領域１００９と１０１１との間、及び１００９と１０１３との間には、右側面に折り込まれる右側面折込領域１０１５及び１０１７が存在する。同様に、左側面領域１０１０と１０１２との間、及び１０１０と１０１４との間には、左側面に折り込まれる左側面折込領域１０１６及び１０１８が存在する。
【００４２】
正面領域１００２、右側面領域１０１１及び左側面領域１０１２の上端付近と、正面領域１００３、右側面領域１０１３及び左側面領域１０１４の下端付近と（図４において、ドットパターンで塗られた領域）は、合掌貼りでヒートシールされる。なお、接着された箇所は、鉛直方向下向きに折り返され、本体１１の折返し部１３を形成する。
【００４３】
また、右側面領域１００９のうち包紙の左端に沿った領域と、右側面領域１０１１及び１０１３のうち包紙の左端に沿った領域と（図４において、ドットパターンで塗られた領域）は、合掌貼りでヒートシールされ、右側面領域１００９、１０１１及び１０１３の右側の領域が本体１１の右側面を形成する。このとき、領域１０１５及び１０１７は、それぞれ包紙の端に沿った辺の中央を谷折りに折り込み、右側面領域１００９、１０１１及び１０１３との境界を山折りに折り込むことで、領域１０１５及び１０１７は、本体１１の右側面に折り込まれる。なお、領域１０１５は、中心から右上の端まで及び中心から右下の端までを谷折りに折り込み、中心から下端までを山折りに折り込むことで、パッケージ１の形状がほぼ直方体となるように右側面に折り込まれる。同様に、領域１０１７は、中心から右上の端まで及び中心から右下の端までを谷折りに折り込み、中心から上端までを山折りに折り込むことで、パッケージ１の形状がほぼ直方体となるように右側面に折り込まれる。
【００４４】
また、左側面領域１０１０のうち右側の領域と、左側面領域１０１２及び１０１４のうち右側の領域と（図４において、ドットパターンで塗られた領域）は、合掌貼りでヒートシールされ、左側面領域１０１０、１０１２及び１０１４の左側の領域が本体１１の左側面を形成する。このとき、領域１０１６及び１０１８は、それぞれ包紙の右端に沿った辺の中央を谷折りに折り込み、左側面領域１０１０、１０１２及び１０１４との境界を山折りに折り込むことで、領域１０１６及び１０１８は、本体１１の左側面に折り込まれる。なお、領域１０１６は、中心から左上の端まで及び中心から左下の端までを谷折りに折り込み、中心から上端までを山折りに折り込むことで、パッケージ１の形状がほぼ直方体となるように左側面に折り込まれる。同様に、領域１０１８は、中心から左上の端まで及び中心から左下の端までを谷折りに折り込み、中心から下端までを山折りに折り込むことで、パッケージ１の形状がほぼ直方体となるように左側面に折り込まれる。
【００４５】
このように、本体１１は、側面も合掌貼りでヒートシールされ、密封される。なお、ヒートシールを行う順序は特に限定されないが、すべて接着する前に、被包装物２を充填する。
【００４６】
図５は、帯状部材１２を形成するための帯状展開図Ｄ２の一例を示している。帯状展開図Ｄ２は、その一端に、上面領域１００７のハーフカット加工された領域の内部に糊付け等により接着される領域（斜線部分）を含む接着領域１０２１を有する。また、接着領域１０２１の一端には、折り返して貼り合わされ開封タブ１８を形成する、開封タブ領域１０２２及び１０２３が連なっている。図６に示すように、開封タブ領域１０２２と１０２３との境界は、例えば山折りに折り込まれ、開封タブ領域１０２２と１０２３とは、ヒートシール又は糊付け等により接着される。また、開封タブ領域１０２３には、さらに操作領域１０２４〜１０２６が連なっている。操作領域１０２４〜１０２６は、帯状部材１２をスライド操作するために使用者が接触する操作部１２１（領域Ａ〜Ｃ）を形成する。また、操作領域１０２６には、さらに折返し領域１０２７が連なっている。操作領域１０２６と折返し領域１０２７との境界は、例えば山折りに折り返され、折返し領域１０２７は、折返し部１７を形成する。
【００４７】
また、図４において、左側面領域１０１０の右端には、表面側領域１００４、１００５及び１００６が順に連なっている。表面側領域１００４の一部は矩形に切り取られ、開口部１６設けられている。図４の表面側領域１００４に存在する太い実線の長方形は、カットされる部分を示している。また、左側面領域１０１０、表面側領域１００４、１００５及び１００６の各境界も例えば山折りに折られる。そして、図３に示したように、表面側領域１００４〜１００６は、内側部分１１１の側面から、正面、右側面、背面の一部までを包む表面側部分１１２を形成する。すなわち、表面側領域１００４は本体１１の正面を覆い、表面側領域１００５は本体１１の右側面を覆い、表面側領域１００６は本体１１の背面の一部を覆う。また、表面側領域１００６のうち、表面側領域１００５の反対側の端の領域は、例えば、本体１１の背面と糊付けにより接着される。このとき、帯状部材１２の操作領域１０２４〜１０２６は、内側部分１１１と表面側部分１１２との間に挟み込まれ、本体１１の折返し部１３と帯状部材１２の折返し部１７とが係合する。また、帯状部材１２の開封タブ１８は、例えばパッケージ１の外側に沿って折り込まれる。
【００４８】
上記の展開図は一例であり、パッケージ１を形成するための展開図としては、様々なものを採用することができる。例示した本体１１は単一のブランクから構成されているが、分割した展開図を用いて、複数のブランクから構成されるようにしてもよい。また、紙の一方の面にフィルムを貼り合わせた包紙でなく、紙の両方の面にフィルムを貼り合わせた包紙を採用してもよい。このような包紙を用いれば、いずれの接着箇所についても、ヒートシールにより接着することができる。
【００４９】
＜動作＞
図７及び図８を用いて、使用者による開封時の操作を説明する。図７に示すように、使用者は、蓋部材１５と連設され、パッケージ１の背面に沿って存在する開封タブ１８を、蓋部材１５との接続部分を起点として回動させ、指で摘まむことができるように起こす。そして、図８に示すように、使用者は、開封タブ１８を摘まみ、ハーフカットに沿って取出し口１４を開封する。このように、開封タブ１８は開封操作に用いられ、使用者はパッケージ１を開封し易くなっている。ここで、ハーフカットが、開封タブ側に存在する頂点から徐々に幅が広がるような形状（ホームベース形状）で設けられているため、当該頂点を起点にハーフカットに沿って開封することが容易になる。なお、開封時においては、開封タブ１８は摘まみとして機能し、開封後においては、開封タブ１８は本体１１の差込口１１４に挿入して開蓋を抑止する係止部として機能する。
【００５０】
また、図１、図２、図９及び図１０を用いて、開封後における、使用者の開蓋操作及び閉蓋操作を説明する。図１に示すように、閉蓋状態では、蓋部材１５が取出し口１４を覆っている。なお、開封タブ１８は差込口１１４に挿入されているものとする。このような閉蓋状態においては、蓋部材１５は、例えばパッケージ１の取出し口１４から、被収容物２がこぼれ出ることを抑止できる。
【００５１】
図１の閉蓋状態において、使用者は、開口部１６から露出した帯状部材１２の一部である領域Ａを指で鉛直下向き（「開蓋方向」とも呼ぶ）に擦り、帯状部材１２をスライドさせる。帯状部材１２の領域Ｃは、閉蓋状態において蓋部材１５の上に重なり、蓋部材１５のうちヒンジ１５１と対向する側に接続されている。よって、帯状部材１２がヒンジ１５１の方向にスライドすると、スライドに連動して蓋部材１５はヒンジ１５１を起点に捲れ上がる。例えば、図９に示すように、帯状部材１２を開蓋方向にスライドさせると、開封タブ１８は差込口１１４から抜け出すと共に、スライドに連動して蓋部材１５が撓みつつ捲れ上がり、開蓋することができる。その後、領域Ｃは、内側部分１１１と表面側部分１１２との間に引き込まれる。このとき、開口部１６からは帯状部材１２の「Ｂ」が付された領域（領域Ｂとも呼ぶ）が露出しており、使用者は領域Ｂを操作する。さらに、閉蓋状態において領域Ｃと重なっていた蓋部材１５が、ヒンジ１５１を起点に反転し、開封タブ１８と共に内側部分１１１と表面側部分１１２との間に引き込まれて、図２に示す開蓋状態になる。このように、使用者は、帯状部材１２の操作部１２１を操作し、パッケージ１を開蓋することができる。開蓋状態においても、領域Ｃが開口部１６から露出し、使用者が操作できるようになっている。また、蓋部材１５は、ヒンジ１５１で取出し口１４の縁に接続されているため、図２に示した開蓋状態においては、帯状部材１２をさらに開蓋方向にスライドさせることは制限される。
【００５２】
また、開蓋状態において、使用者は、開口部１６から露出した領域Ｃを鉛直上向き（閉蓋方向とも呼ぶ）に擦り、本体１１の表面に沿って帯状部材１２をスライドさせることができる。帯状部材１２を閉蓋方向にスライドさせると、図１０に示すように、蓋部材１５が内側部分１１１と表面側部分１１２との間から上方に抜け出た状態になる。本実施の形態では、本体１１の折返し部１３と帯状部材１２の折返し部１７とが係合し、帯状部材１２の端が本体１１の鉛直方向中央付近よりも閉蓋方向にスライドすることが制限される。また、使用者は、図１０に示す状態において、蓋部材１５で取出し口１４を覆い、差込口１１４に開封タブ１８を挿入することで、パッケージ１を閉蓋することができる。
【００５３】
＜効果＞
本実施の形態に係るパッケージ１は、蓋部材１５を備えており、開封後においても閉蓋可能である。閉蓋することができれば、取出し口１４から被収容物２がこぼれ出ることを抑止できる。特に、パッケージ１にシガレット等を収容する場合、パッケージ１内には細かいたばこ刻がこぼれることもあるが、パッケージ１を閉蓋することで、こぼれたたばこ刻がパッケージ１の外部へ出ることを抑制できる。
【００５４】
また、本実施の形態に係るパッケージ１は、蓋部材１５と接続された帯状部材１２を使用者がスライドさせることにより、スライドに連動して容易に開蓋することができる。本体１１の表面に沿って帯状部材１２をスライドさせるような操作であれば、使用者は、本体１１を握った状態で、例えば親指だけで行うことができる。すなわち、使用者は片手で容易にパッケージ１を開蓋させることができる。
【００５５】
また、本体１１の一部を二重構造とし、帯状部材１２を内側部分１１１と表面側部分１１２との間に挟むことにより、帯状部材１２をパッケージ１内へコンパクトに収納することができるとともに、帯状部材１２の移動を、パッケージ１の開閉操作に必要な方向に制限することができる。また、表面側部分１１２には、帯状部材１２がパッケージ１の表面に露出するように開口部１６が設けられており、使用者は帯状部材１２を操作できるようになっている。また、帯状部材１２、開封タブ１８及び蓋部材１５は、開蓋状態において、内側部分１１１と表面側部分１１２との間に収納される。よって、使用者が蓋の利用を望まない場合には、開蓋状態のままで使用しても、帯状部材１２、開封タブ１８及び蓋部材１５は邪魔にならない。
【００５６】
また、開封時においては、使用者は開封タブ１８を摘まみ、開封操作を容易に行うことができる。また、開封後においては、本体の一部に設けられた差込口に開封タブ１８を挿入することにより、閉蓋状態を保つことができる。
【００５７】
また、パッケージ１は、材料にガスバリア性のあるフィルム貼合せ包紙を用いて、ヒートシールにより封止している。よって、パッケージ１の外側をさらにフィルム等で密封することなく、被収容物２の鮮度を保つことができる。また、フィルム貼合せ包紙のみにより形成されるため、例えば、包か用紙、アルミ紙、封緘紙、外包フィルム等を用いる従来のソフトパッケージと比較して、製造工程の簡略化及び材料費の削減が見込まれる。
【００５８】
さらに、パッケージ１は、開封時にいずれの部分も切り離す必要がない。例えば、開封時に、外側を包装するフィルムの一部を捨てたり、アルミコーティングした内包紙の一部を捨てたりする必要がある従来のソフトパッケージとは異なり、本実施の形態に係るパッケージ１であれば、開封時にごみが出ない。また、パッケージ１全体を廃棄する際においては、フィルム貼り合せ包紙等、単一の素材でパッケージが形成されていれば、部材ごとに分別する必要がない。以上のように、実施の形態の係るパッケージ１の構成によれば、使用者の利便性を向上させることができる。
【００５９】
帯状部材１２には、模様等を付してもよい。このようにすれば、帯状部材１２がスライドするときに、開口部１６から見える模様が変化する。よって、使用者に、パッケージ１を操作する際の楽しみを提供できる。
【００６０】
＜変形例＞
図１１及び図１２に、変形例に係るパッケージ１Ａの斜視図を示す。また、図１３に、変形例に係るパッケージ１Ａを展開した斜視図を示す。パッケージ１Ａにおいても、本体１１Ａの内側部分１１１が被収容物２を包み込む。なお、パッケージ１とパッケージ１Ａとで共通する部分については、図面において同一の符号を付している。図１１は、蓋部材１５により取出し口１４を閉じた閉蓋状態を表している。また、図１２は、蓋部材１５を開けて取出し口１４を開口させた開蓋状態を表している。以下、パッケージ１Ａについて、パッケージ１との相違点を中心に説明する。
【００６１】
パッケージ１Ａは、外側部分１１２Ａや帯状部材１２Ａ等、特に、蓋部材１５を開閉するための機構がパッケージ１とは異なる。具体的には、パッケージ１Ａの表面側部分１１２Ａは、２本の開口部１６Ａを備えている。また、パッケージ１Ａは、封緘紙１９を備えている。さらに、パッケージ１Ａの帯状部材１２Ａは、使用者が帯状部材１２Ａをスライドさせるときに指を掛ける引手部材である操作部１２１Ａ、及び本体１１Ａと封緘紙１９との間に挟まれた閉蓋ガイド１２２を備えている。また、開封タブ１８Ａ及び本体１１Ａは、閉蓋状態において互いに接する面に平板状の磁石を備え、閉蓋状態において磁石が吸着するようになっている。なお、パッケージ１Ａの帯状部材１２Ａは、折返し部１７を有していない。以下、各要素についてより詳細に説明する。
【００６２】
図１１及び図１２の例では、２本の開口部１６Ａが、ほぼ平行にパッケージ１の上下方向に沿って設けられている。２本の開口部１６Ａは、それぞれほぼ同じ形状である。そして、開口部１６Ａの上下方向の長さは、帯状部材１２Ａをスライドさせることができる程度の大きさであり、開口部１６Ａの幅は、包紙に切り込みを入れた程度の大きさがあればよい。また、２本の開口部１６Ａの間隔は、帯状部材１２Ａの幅とほぼ同じである。なお、開口部１６Ａは、当該部分を介して帯状部材１２Ａの一部がパッケージ１Ａの表面に露出する点で、パッケージ１の開口部１６と共通している。本変形例では、帯状部材１２Ａがスライドする方向は、開口部１６Ａが延在する方向（すなわち、パッケージ１Ａの上下方向）に制限される。なお、表面側部分１１２Ａのうち、２本の開口部１６Ａの間に存在する帯状の領域を、便宜上、「ガイドベルト」又は「方向規制部」とも呼ぶ。
【００６３】
帯状部材１２Ａの一部は、内側部分１１１と表面側部分１１２Ａとの間に挟まれている。また、帯状部材１２Ａの一端は、蓋部材１５と接続されている。そして、帯状部材１２Ａの他端側は、２本の開口部１６Ａの各々からパッケージ１Ａの表面に延出し、パッケージ１Ａの表面で重なり合って接着され、操作部１２１Ａを形成している。図１４に示すように、帯状部材１２Ａの他端側は、ガイドベルトを中心に巻かれた状態になる。帯状部材１２Ａとガイドベルトとは接着されず、帯状部材１２Ａは、ガイドベルト及び開口部１６Ａの延在する方向に沿ってスライド可能となる。また、帯状部材の操作部１２１Ａ側の端はガイドベルトに巻かれた状態であるため、ガイドベルトの上下方向の両端間に移動範囲が制限される。
【００６４】
また、図１５に示すように、帯状部材１２Ａの他端側には、開封タブ１８Ａが形成されており、開封タブ１８Ａには、平板状の磁石１８１が接着されている。一方、本体１１Ａの表面であって、閉蓋状態において開封タブ１８Ａと重なる位置にも、平板状の磁石１１５が接着されている。磁石は互いに吸着する極性が対向するように接着されており、図１１に示した閉蓋状態において、開封タブ１８Ａの帯磁した領域と本体１１Ａ表面の帯磁した領域とは吸着するようになっている。なお、磁石を接着する代わりに、磁気を帯びたインク等を用いて印刷を施すようにしてもよい。開封タブ１８Ａの少なくとも一部、及びパッケージ１表面の対応する部分に帯磁した領域を設け、互いに引き合う極性が対向していれば、パッケージ１Ａは磁力によって閉蓋し、また閉蓋状態を保つことができる。なお、開封タブ１８Ａの少なくとも一部、又はパッケージ１表面の対応する部分のいずれか一方を帯磁した領域とし、他方には磁石が吸着する鉄等の強磁性体を用いるようにしてもよい。また、使用者は、開封タブ１８Ａを摘まみ、パッケージ１Ａを開封することもできる。
【００６５】
さらに、パッケージ１Ａは、封緘紙１９を備えている。封緘紙１９は、パッケージ１Ａの正面から背面にかけて、上面の一部を覆うように設けられている。また、封緘紙１９は、例えばパッケージ１Ａ正面側の端部と背面側の端部とがそれぞれパッケージ１Ａと接着されている。
【００６６】
また、帯状部材１２Ａの側縁部には、封緘紙１９側に突出した閉蓋ガイド１２２が設けられていてもよい。閉蓋ガイド１２２は、内側部分１１１と表面側部分１１２Ａとの間、又は封緘紙１９と本体１１Ａの上面との間に位置する。よって、帯状部材１２Ａを開蓋方向及び閉蓋方向にスライドさせる場合、閉蓋ガイド１２２は、封緘紙１９の内側に沿って（すなわち、パッケージ１Ａの表面に沿って）移動するようになる。
【００６７】
＜動作＞
図１１、図１２及び図１６〜図１８に基づいて、パッケージ１Ａの開蓋及び閉蓋操作を説明する。ユーザがパッケージ１Ａの操作部１２１Ａを指で上下方向にスライドさせると、帯状部材１２Ａから突出している閉蓋ガイド１２２は、パッケージ１の表面に沿って移動する。図１１の閉蓋状態において、まず、使用者は開蓋方向に帯状部材１２Ａをスライドさせる。これにより、図１６に示すように、開封タブ１８Ａの磁石は本体１１Ａ表面の磁石から引き離される。また、図１７に示すように、閉蓋ガイド１２２は封緘紙１９の内側を通過するため、閉蓋ガイド１２２と接続されている帯状部材１２Ａは、本体１１Ａの表面に沿って移動する。また、スライドに連動して蓋部材１５が撓みつつ捲れ上がり、開蓋することができる。その後、図１８に示すように、閉蓋状態において領域Ｃと重なっていた蓋部材１５が、ヒンジ１５１を起点に反転し、開封タブ１８Ａと共に内側部分１１１Ａと表面側部分１１２Ａとの間に引き込まれる。そして、図１２に示した開蓋状態になる。このように、使用者は、帯状部材１２Ａの操作部１２１Ａを操作し、パッケージ１Ａを開蓋することができる。開蓋状態においても、操作部１２１Ａが開口部１６Ａから露出し、使用者が操作できるようになっている。また、蓋部材１５は、ヒンジ１５１で取出し口１４の縁に接続されているため、図２に示した開蓋状態においては、帯状部材１２Ａをさらに開蓋方向にスライドさせることは制限される。
【００６８】
一方、開蓋状態において、使用者は、開口部１６Ａから露出した操作部１２１Ａを本体１１Ａの表面に沿って閉蓋方向にスライドさせる。帯状部材１２Ａを閉蓋方向にスライドさせると、図１８、図１７及び図１６に示す順で、開封タブ１８Ａ及び蓋部材１５が内側部分１１１と表面側部分１１２Ａとの間から抜け出す。このとき、閉蓋ガイド１２２は封緘紙１９の内側を通過するため、閉蓋ガイド１２２と接続されている帯状部材１２Ａは、本体１１Ａの表面に沿って移動する。本変形例では、開封タブ１８Ａの帯磁領域が本体１１Ａ側の帯磁領域付近まで移動するように、封緘紙１９及び閉蓋ガイド１２２が誘導する。そして、開封タブ１８Ａの帯磁領域が本体１１Ａ側の帯磁領域付近まで移動すれば、磁力による吸着で閉蓋させることができる。よって、変形例に係るパッケージ１Ａは、使用者が片手で閉蓋させることもできる。
【００６９】
＜その他の変形＞
パッケージ１、パッケージ１Ａは、それぞれ、正面向かって右側に開口部１６、開口部１６Ａを備えている。このような形状であれば、例えば使用者が右手でパッケージを握りつつ右手の親指でスライド操作を行うために好適である。ただし、パッケージ（１又は１Ａ）の形状はこのような例に限られない。例えば、パッケージの側面に開口部（１６又は１６Ａ）が設けられていてもよい。さらに、パッケージの上面で開封タブ（１８又は１８Ａ）を固定し、閉蓋状態を維持できるようにしてもよい。なお、開封タブの固定は、開封タブを差込口１１４に挿入したり開封タブに帯磁領域を設けたりする代わりに、再接着可能な接着剤を用いて行うようにしてもよい。また、図面等に示した帯状部材（１２又は１２Ａ）の長さや幅等は、適宜変更してもよい。
【００７０】
また、実施の形態及び変形例では、帯状部材（１２又は１２Ａ）が、蓋部材１５のうちヒンジ１５１と対向する側に接続される例を説明したが、帯状部材は、蓋部材１５のうちヒンジ１５１以外に接続されていればよい。ヒンジ１５１以外に接続されていれば、帯状部材と連動し、ヒンジ１５１を起点として蓋部材１５を回動させることができる。
【００７１】
また、実施の形態に係るパッケージ１の内側部分１１１と表面側部分１１２とは、帯状部材１２がスライドする方向を制限するように接着されていてもよい。例えば、鉛直方向に沿って、帯状部材１２の周辺が接着されていれば、内側部分１１１と表面側部分１１２との間に、帯状部材１２がスライドする方向に伸びた間隙（方向規制部とも呼ぶ）を設けることができる。方向規制部によれば、帯状部材１２がスライドする方向を、開蓋方向又は閉蓋方向に制限することができる。
【００７２】
また、帯状部材１２又は１２Ａのうち、使用者が触れて操作する領域は、少なくともその裏面よりも摩擦係数が高くなるようにしてもよい。例えば、帯状部材１２の操作部１２１（領域Ａ〜Ｃ）、又は帯状部材１２Ａの操作部１２１Ａに、マットニスやきめの細かいサンドペーパ等を用いる。このようにすれば、使用者がスライド操作するときに、使用者の指と操作部（１２１又は１２１Ａ）とがすべりにくい。一方、その裏面には、例えば、シリコンや潤滑コーティング剤等を塗布してもよい。このようにすれば、スライド操作がよりスムーズになる。
【００７３】
また、蓋部材１５の形状が、開封タブ側に存在する頂点から徐々に幅が広がるようになっていれば、使用者が開封タブ１８又は１８Ａを摘まみ、所定の方向に引くことでパッケージ１を開封し易い。開封タブ側に存在する頂点から徐々に幅が広がる形状としては、例示したホームベース形状の他、三角形、台形、その他の多角形形状等でもよい。
【００７４】
また、帯状部材１２又は１２Ａのスライド操作により開封できるようにしてもよい。例えば、蓋部材の周囲のハーフカットを、ある頂点からヒンジ１５１方向に向けて徐々に幅が広がるような形状で設けたり、ハーフカットの深さを調節したりして、帯状部材を開蓋方向にスライドさせることでハーフカットに沿って容易に開封できるようにしてもよい。
【００７５】
なお、パッケージ１は、ソフトパッケージであるものとして説明したが、ハードパッケージの蓋部分に帯状部材を接続したものであってもよい。ハードパッケージであっても、帯状部材のスライドに連動して容易に開蓋可能になるという効果がある。
【００７６】
また、実施形態や変形例に係るパッケージは、包紙を多重に巻いた二重構造の領域を設けたが、三重以上の多重構造としてもよい。帯状部材を多重構造の内側に収納できれば、邪魔にならない。逆に、多重構造の領域を設けなくてもよい。帯状部材の全体がパッケージの表面に露出していても、例えば使用者は帯状部材を本体表面に指で押し当て、スライドさせることができる。すなわち、このようなパッケージであっても、片手で開蓋させることは可能になる。
【００７７】
また、本実施形態では、パッケージに収容する被収容物として、フィルタシガレットや両切シガレット等のたばこ商品を挙げたが、これらには限定されず、例えば菓子やガム等であってもよい。
【符号の説明】
【００７８】
１、１Ａ・・・パッケージ
１１、１１Ａ・・・本体
１１１・・・内側部分
１１２、１１２Ａ・・・表面側部分
１１４・・・差込口
１２、１２Ａ・・・帯状部材
１２１、１２１Ａ・・・操作部
１２２・・・閉蓋ガイド
１３・・・折返し部
１４・・・取出し口
１５・・・蓋部材
１５１・・・ヒンジ
１６、１６Ａ・・・開口部
１７・・・折返し部
１８、１８Ａ・・・開封タブ
１９・・・封緘紙
【図１】
0005923217.tif 000002
【図２】
0005923217.tif 000003
【図３】
0005923217.tif 000004
【図４】
0005923217.tif 000005
【図５】
0005923217.tif 000006
【図６】
0005923217.tif 000007
【図７】
0005923217.tif 000008
【図８】
0005923217.tif 000009
【図９】
0005923217.tif 000010
【図１０】
0005923217.tif 000011
【図１１】
0005923217.tif 000012
【図１２】
0005923217.tif 000013
【図１３】
0005923217.tif 000014
【図１４】
0005923217.tif 000015
【図１５】
0005923217.tif 000016
【図１６】
0005923217.tif 000017
【図１７】
0005923217.tif 000018
【図１８】
0005923217.tif 000019